(57)【要約】【課題】  【解決手段】  斜め上下方向へ設けられた発射レール３と、当該発射レール３に対して平行に上下方向へ配設され、遊技球Ｂを発射レール３との間に案内するとともに、案内した遊技球Ｂを当接させて発射レール３との間で保持する喉突起４２を形成した球受け部材４と、発射レール３と球受け部材４の間に進入させられて保持された遊技球Ｂを遊技領域へ打ち出す槌部材６２とを具備している。上記喉突起４２は発射レール３との対向間隔を局所的に狭めて、当該喉突起４２と発射レール３との間で遊技球Ｂを保持する。【選択図】        図１
2004230195.tif 000002
【特許請求の範囲】
【請求項１】
斜め上下方向へ設けられた発射レールと、当該発射レールに対して平行に上下方向へ配設され、遊技球を前記発射レールとの間に案内するとともに、案内した前記遊技球を当接させて前記発射レールとの間で保持する保持部を形成した球受け部材と、前記発射レールと前記球受け部材の間に進入させられて保持された前記遊技球を遊技領域へ打ち出す槌部材とを具備する遊技球発射装置。
【請求項２】
前記球受け部材には前記発射レールとの対向面に、対向間隔を局所的に狭める喉突起が形成されて、当該喉突起と前記発射レールとの間で遊技球を保持するようにした請求項１に記載の遊技球発射装置。
【請求項３】
前記発射レールはく字断面に屈曲成形されており、前記遊技球は前記発射レールの二つの側面と前記喉突起にそれぞれ当接して保持される請求項１又は２に記載の遊技球発射装置。
【請求項４】
前記球受け部材には前記喉突起よりも上方位置に、前記球受け部材に側方から供給された前記遊技球を前記発射レールとの間に案内する案内部を設けた請求項１ないし３のいづれかに記載の遊技球発射装置。
【請求項５】
前記球受け部材の上端に、前記発射レールと平行に上方へ延びるガイド壁を形成した請求項１ないし４のいづれかに記載の遊技球発射装置。
【発明の詳細な説明】
【技術分野】
【０００１】
本発明は遊技球発射装置に関する。
【背景技術】
【０００２】
特許文献１にはパチンコ球（遊技球）よりも小さい保持孔を形成した発射台を備える遊技球発射装置が示されている。本装置においては、上記発射台に一体に補給誘導レールが屈曲形成されており、当該レールに誘導されたパチンコ球の下部が上記保持孔に嵌まり込んで発射位置に静止させられる。補給誘導レールの反対側にはストッパ部が設けられて静止したパチンコ球の転動を規制しており、静止したパチンコ球に対して、下方からプランジャの打球部が打撃して、パチンコ球を上方へ打ち上げる。
【特許文献１】特開平１１−９７７９号
【発明の開示】
【発明が解決しようとする課題】
【０００３】
本発明は、簡易な構造によって、発射レールとの間に遊技球を供給してこれを打ち出し可能に保持できる遊技球発射装置を提供することを目的とする。
【課題を解決するための手段】
【０００４】
上記目的を達成するために本第１発明では、斜め上下方向へ設けられた発射レール（３）と、当該発射レール（３）に対して平行に上下方向へ配設され、遊技球（Ｂ）を発射レール（３）との間に案内するとともに、案内した遊技球（Ｂ）を当接させて発射レール（３）との間で保持する保持部（４２）を形成した球受け部材（４）と、発射レール（３）と球受け部材（４）の間に進入させられて保持された遊技球（Ｂ）を遊技領域へ打ち出す槌部材（６２）とを具備している。
【０００５】
本第２発明では、上記球受け部材（４）には発射レール（３）との対向面に、対向間隔を局所的に狭める喉突起（４２）が形成されて、当該喉突起（４２）と発射レール（３）との間で遊技球（Ｂ）を保持するようにする。
【０００６】
本第３発明では、上記発射レール（３）はく字断面に屈曲成形されており、遊技球（Ｂ）は発射レール（３）の二つの側面（３１，３２）と喉突起（４２）にそれぞれ当接して保持される。
【０００７】
本第４発明では、上記球受け部材（４）には喉突起（４２）よりも上方位置に、球受け部材（４）に側方から供給された遊技球（Ｂ）を発射レール（３）との間に案内する案内部（４１）を設ける。
【０００８】
本第５発明では、球受け部材（４）の上端に、発射レール（３）と平行に上方へ延びるガイド壁（４３）を形成する。
【０００９】
なお、上記カッコ内の符号は、後述する実施形態に記載の具体的手段との対応関係を示すものである。
【発明の効果】
【００１０】
以上のように、本発明の遊技球発射装置によれば、簡易な構造によって、発射レールとの間に遊技球を供給してこれを打ち出し可能に保持することができる。
【発明を実施するための最良の形態】
【００１１】
（第１実施形態）
図１には発射装置の正面図を示し、図２には発射装置を図１のＸ方向から見た側面図を示す。また、図３には図１のIII−III線に沿った水平断面図を示す。発射装置が設けられる取付ブラケット１は略Ｌ字形（図３）に屈曲成形されて、遊技盤の保持枠２に沿った取付面１ａと、これに直交して保持枠後面側へ延びる取付面１ｂとを有している。取付面１ａは上縁および下縁と、一方の側縁の複数個所に設けた取付孔１１（図１）で保持枠２の前面に固定されており、当該取付面１ａ上には斜め上方へ向けて発射レール３とこれと平行に球受け部材４が設けられている。発射レール３は側縁が「く」字断面（図３）に屈曲成形されて、球受け部材４との間に所定の空間を形成している。球受け部材４には発射レール３との対向面に、図略の遊技球供給口から供給された遊技球を受け入れる凹所４１（図１）が形成され、凹所４１の下縁には発射レール３との間隔を局所的に狭める喉突起４２が形成されている。また、球受け部材４の上端には、発射レール３に対し平行に上方へ延びるガイド壁４３が形成されている。 
【００１２】
取付面１ｂには図２に示すように、中央部に円形ケーシングのロータリソレノイド（モータ）５が取り付けられ、その出力軸５１（図３）が取付面１ｂを貫通して図２の紙面手前側へ突出している。出力軸５１にはスイングアーム６の基端が固定されて取付面１ｂに平行に斜め下方へ延びており、その先端６１は取付面１ａと保持枠２の開口１２，２１（図２、図３）を通過して保持枠２の前面側へ突出している。そして、上方へ屈曲するスイングアーム６の先端６１に円錐台形の槌部材６２が装着されている。スイングアーム６は図２の鎖線で示すように、自重で下方へ旋回して取付面１ｂ上のストッパ部材７１に当接する待機位置と、モータ５により上方へ旋回駆動されて実線で示すように基端凸部６３が取付面１ｂ上のストッパ部材７２に当接する進出位置との間で移動させられる。 
【００１３】
上記構造の遊技球発射装置において、図１の紙面手前側から供給された遊技球は球受け部材４の凹所４１に案内されて喉突起４２と発射レール３との間へ転動し、発射レールの二つの側面と喉突起にそれぞれ当接してここに係止される。そして、係止された遊技球Ｂに対して、進出位置へ旋回し保持枠２の前面側へ突出したスイングアーム６の槌部材６２が衝突して（図１に示す状態）、遊技球Ｂは発射レール３に沿って斜め上方へ打ち出され、遊技盤保持枠２に設けた案内路８を経て図略の遊技領域へ送り出される。 
【００１４】
このような遊技球発射装置では、スイングアーム６を遊技盤（保持枠２）にほぼ直交して設けることができるから、遊技盤保持枠２の前面に対する装置の投影面積が小さくなり、部品配置の自由度が向上する。なお、スイングアーム６を遊技盤に対して直交させる必要は必ずしもなく、交差する方向に設ければ良いが、直交させた場合に遊技盤保持枠前面に対する装置の投影面積は最も小さくなるから、他部品の部品配置がより容易になる。 
【００１５】
（第２実施形態）
図４は発射装置の正面図、図５は図４のV−V線に沿った水平断面図である。発射装置は略四角形の板状取付ブラケット９上に設けられており、取付ブラケット９は外周部の複数箇所で遊技盤の保持枠２前面（図５の下面）に固定されている。取付ブラケット９の裏面には保持枠２を貫通して円形ケーシングのロータリソレノイド（モータ）５が取り付けられ、その出力軸５１は取付ブラケット９を貫通して前方（図５の下方）へ突出している。出力軸５１にはスイングアーム６の基端が固定されて取付ブラケット９の板面に平行に斜め下方へ延びており（図４）、上方へ屈曲するスイングアーム６の先端６１には円錐台形の槌部材６２が装着されている。スイングアーム６は図４の鎖線で示すように、自重で下方へ旋回してストッパ部材７１に当接する待機位置と、モータ５により上方へ旋回駆動されて実線で示すように基端凸部６３がストッパ部材７２に当接する進出位置との間で移動させられる。 
【００１６】
取付ブラケット９上には斜め上方へ向けて発射レール３とこれと平行に球受け部材４とが設けられており、紙面手前側から供給されて球受け部材４の凹所４１に案内されて喉突起４２と発射レール３との間へ転動し、発射レール３の二つの側面３１，３２と喉突起４２にそれぞれ当接してここに係止される。係止された遊技球Ｂに、図４に示すように進出位置へ旋回したスイングアーム６の槌部材６２が衝突する。これにより、遊技球Ｂは発射レール３に沿って斜め上方へ打ち出され、遊技盤保持枠２に設けた案内路８を経て図略の遊技領域へ送り出される。
【図面の簡単な説明】
【００１７】
【図１】本発明の第１実施形態を示す、遊技球発射装置の正面図である。
【図２】図１のＸ方向から見た遊技球発射装置の部分断面側面図である。
【図３】図１のIII−III線に沿った断面図である。
【図４】本発明の第２実施形態を示す、遊技球発射装置の正面図である。
【図５】図４のV−V線に沿った断面図である。
【符号の説明】
【００１８】
１...取付ブラケット、１ａ，１ｂ...取付面、２...保持枠、３...発射レール、４...球受け部材、６...スイングアーム、６２...槌部材、Ｂ...遊技球。 
【図１】
2004230195.tif 000003
【図２】
2004230195.tif 000004
【図３】
2004230195.tif 000005
【図４】
2004230195.tif 000006
【図５】
2004230195.tif 000007